(57)【要約】【課題】雑誌等に掲載する商品コードのメール送信に対してアクセス用のＵＲＬを返信することにより、カメラや二次元バーコード読取機能の有無にかかわらず、より多くの端末からウェブ上で個別商品の情報閲覧や注文を可能にするとともに、各メディアの特性を維持しながら効果的なプロモーションを可能とする。【解決手段】商品コードを掲載した雑誌Ｍを出版して無償又は有償で配布する。ユーザは自らの携帯電話端末Ｔから、所望の前記商品コードを本文又は題名に一又は二以上記載した電子メールを、雑誌Ｍ記載の電子メールアドレス宛に送信する。サーバＳが、その商品コードの商品へのアクセス用ＵＲＬを返信する。返信された前記アクセス用ＵＲＬのウェブページにユーザが端末Ｔのブラウザ機能でアクセスすることにより、そのウェブサイトにおいてその商品について情報提供及び注文受付を実現する。【選択図】図１
2007026228.tif 000002
【特許請求の範囲】
【請求項１】
通信ネットワークとの通信部と、情報の記憶部と、前記各部の制御を含む情報処理を行う制御部と、を備えたサーバシステムにおいて、
前記通信ネットワークから前記通信部に着信する所定アドレス宛ての電子メールを受信するとともにその電子メールから所定の商品コードを取り出す受信手段と、
取り出した前記商品コードに対応する所定ウェブページのＵＲＬを前記電子メールの送信元へ前記通信部から前記通信ネットワーク経由で返信する返信手段と、
前記ＵＲＬによる前記所定ウェブページへの前記通信ネットワーク経由のアクセスに対して、該当する商品に関する情報提供及び注文受付を行う受付手段と、
を前記制御部により実現することを特徴とするサーバシステム。
【請求項２】
通信ネットワークとの通信部と、情報の記憶部と、前記各部の制御を含む情報処理を行う制御部と、を備えたサーバシステムの制御方法において、
前記通信ネットワークから前記通信部に着信する所定アドレス宛ての電子メールを受信するとともにその電子メールから所定の商品コードを取り出す受信処理と、
取り出した前記商品コードに対応する所定ウェブページのＵＲＬを前記電子メールの送信元へ前記通信部から前記通信ネットワーク経由で返信する返信処理と、
前記ＵＲＬによる前記所定ウェブページへの前記通信ネットワーク経由のアクセスに対して、該当する商品に関する情報提供及び注文受付を行う受付処理と、
を前記制御部により実行することを特徴とするサーバシステムの制御方法。
【請求項３】
通信ネットワークとの通信部と、情報の記憶部と、前記各部の制御を含む情報処理を行う制御部と、を備えたサーバシステムの制御プログラムにおいて、
前記通信ネットワークから前記通信部に着信する所定アドレス宛ての電子メールを受信するとともにその電子メールから所定の商品コードを取り出す受信処理と、
取り出した前記商品コードに対応する所定ウェブページのＵＲＬを前記電子メールの送信元へ前記通信部から前記通信ネットワーク経由で返信する返信処理と、
前記ＵＲＬによる前記所定ウェブページへの前記通信ネットワーク経由のアクセスに対して、該当する商品に関する情報提供及び注文受付を行う受付処理と、
を前記制御部により実行させることを特徴とするサーバシステムの制御プログラム。
【請求項４】
電子メールアドレスと、商品ごとの商品コードを掲載した雑誌を出版して無償又は有償で配布し、
雑誌に掲載の商品について情報閲覧や注文を行いたいユーザが、自らの携帯電話端末から、本文又は題名に所望の前記商品コードを一又は二以上記載して電子メールを前記電子メールアドレス宛に送信し、
その電子メールアドレスを処理する所定のサーバシステムが、前記電子メールに対しその商品コードの商品へのアクセス用ＵＲＬを返信し、
返信された前記アクセス用ＵＲＬのウェブページに前記ユーザが前記端末のブラウザ機能でアクセスすることにより、そのウェブサイトにおいてその商品について情報提供及び注文受付を実現する、
ことを特徴とする商品販売方法。
【請求項５】
電子メールアドレスと、商品ごとの商品コードを掲載した雑誌を出版して無償又は有償で配布し、
雑誌に掲載の商品について情報閲覧や注文を行いたいユーザが、自らの携帯電話端末から、本文又は題名に所望の前記商品コードを一又は二以上記載して電子メールを前記電子メールアドレス宛に送信し、
その電子メールアドレスを処理する所定のサーバシステムが、前記電子メールに対しその商品コードの商品へのアクセス用ＵＲＬを返信し、
返信された前記アクセス用ＵＲＬのウェブページに前記ユーザが前記端末のブラウザ機能でアクセスすることにより、そのウェブサイトにおいてその商品について情報提供及び注文受付を実現する、
ことを特徴とするビジネスモデル。
【発明の詳細な説明】
【技術分野】
【０００１】
本発明は、雑誌等に掲載する商品コードのメール送信に対してアクセス用のＵＲＬを返信することにより、カメラや二次元バーコード読取機能の有無にかかわらず、より多くの端末からウェブ上で個別商品の情報閲覧や注文を可能にするとともに、各メディアの特性を維持しながら効果的なプロモーションを可能とする技術を提供するものである。
【背景技術】
【０００２】
近年、インターネットに代表される情報メディアの多様化、消費性向の高度化、経済競争の激化などを背景に、異なる複数種類の情報メディアのコラボレーション（協調）により、ブランドや商品のプロモーション（販促）を図る機会と重要性が増大している。一例として、雑誌の広告などに、そのメーカーや販売者のウェブサイト、もしくは個別商品の情報閲覧や注文を行うウェブページに直接アクセスするためのＵＲＬや、そのＱＲコードなどの二次元バーコードを掲載するなども考えられる（例えば、特許文献１参照）。
【特許文献１】特開２００２−３１２２７０
【発明の開示】
【発明が解決しようとする課題】
【０００３】
しかし、二次元バーコードを用いる場合、ユーザの端末に、カメラと、その画像からの二次元バーコード読取機能とが必須であり、アクセス可能な端末が限定される問題があった。また、上記のように個別商品への直接アクセス用のＵＲＬを雑誌等の紙媒体で公表すると、その後のアクセス増加などで事情が変っても、サーバのアドレスやディレクトリ構成などを変更する際の制約となる不便もあった。
【０００４】
また、記事として紹介している商品ごとに、上記のような直接アクセス用のＵＲＬや二次元バーコードを掲載すると、それらが大きな面積を占めて紙面構成に影響したり、情報誌が通販カタログ化してメディアの性質、役割、中立性等が不明確化する懸念もあった。
【０００５】
さらに、不特定多数からのウェブ閲覧で商品情報を提供するだけでは、事業者側から顧客に向けてのお得な情報の提供や、顧客属性の把握、それに応じた効果的プロモーションといった能動的働きかけが不可能であり、通信ネットワークの双方向性を生かしたより効果的なプロモーションの新たなスキーム（枠組）が潜在的に切望されていた。
【０００６】
本発明は、上記のような従来技術の課題を解決するもので、その目的は、雑誌等に掲載する商品コードのメール送信に対してアクセス用のＵＲＬを返信することにより、カメラや二次元バーコード読取機能の有無にかかわらず、より多くの端末からウェブ上で個別商品の情報閲覧や注文を可能にするとともに、各メディアの特性を維持しながら効果的なプロモーションを可能とすることである。
【課題を解決するための手段】
【０００７】
上記の目的を達成するため、本発明の一態様は（請求項１、２、３）、通信ネットワークとの通信部と、情報の記憶部と、前記各部の制御を含む情報処理を行う制御部と、を備えたサーバシステム（その制御方法、制御プログラム）において、前記通信ネットワークから前記通信部に着信する所定アドレス宛ての電子メールを受信するとともにその電子メールから所定の商品コードを取り出す受信手段（処理）と、取り出した前記商品コードに対応する所定ウェブページのＵＲＬを前記電子メールの送信元へ前記通信部から前記通信ネットワーク経由で返信する返信手段（処理）と、前記ＵＲＬによる前記所定ウェブページへの前記通信ネットワーク経由のアクセスに対して、該当する商品に関する情報提供及び注文受付を行う受付手段（処理）と、を前記制御部により実現することを特徴とする。
【０００８】
本発明の他の態様は（請求項４、５）、それぞれ商品販売方法、ビジネスモデルにおいて、電子メールアドレスと、商品ごとの商品コードを掲載した雑誌を出版して無償又は有償で配布し、雑誌に掲載の商品について情報閲覧や注文を行いたいユーザが、自らの携帯電話端末から、本文又は題名に所望の前記商品コードを一又は二以上記載して電子メールを前記電子メールアドレス宛に送信し、その電子メールアドレスを処理する所定のサーバシステムが、前記電子メールに対しその商品コードの商品へのアクセス用ＵＲＬを返信し、返信された前記アクセス用ＵＲＬのウェブページに前記ユーザが前記端末のブラウザ機能でアクセスすることにより、そのウェブサイトにおいてその商品について情報提供及び注文受付を実現する、ことを特徴とする。
【発明の効果】
【０００９】
以上のように、本発明では、雑誌等に掲載する商品コードを、ユーザの携帯端末から電子メールで所定アドレスへ送信させ、その商品コードに対応してサーバから返信するＵＲＬのウェブページでその商品の情報提供や注文受付を行う。これにより、カメラや二次元バーコード読取機能の有無にかかわらず、より多くの端末からウェブ上で個別商品の情報閲覧や注文が可能になるとともに、各メディアの特性を維持しながら効果的なプロモーションが可能となる。
【発明を実施するための最良の形態】
【００１０】
次に、本発明を実施するための最良の実施形態について、図面を参照して説明する。なお、背景技術や課題での説明と共通の前提事項は繰り返さない。
【００１１】
〔１．構成〕
本実施形態は、図１の構成図（兼フローチャート）に示すように、雑誌Ｍと、携帯電話端末（以下「モバイル端末」と呼ぶ）Ｔと、インターネットＮ（携帯電話用パケット通信網を含む）Ｎと、インターネットＮ用のウェブサーバシステム（各種携帯電話用のウェブサーバを含み、以下「サーバ」と呼ぶ）Ｓと、のメディアミックス（異種媒体の組合せ）による商品販売方法ならびにビジネスモデルに関するもので、サーバＳ、その制御方法及び制御プログラムとしても把握可能である。
【００１２】
このうち、サーバＳは、通信ネットワークであるインターネットＮとの通信部Ｓ１（ネットワークボードなど）と、情報の記憶部Ｓ２（メモリやＨＤＤなど）と、前記各部の制御を含む情報処理を行う制御部Ｓ３（ＣＰＵなど）と、を備え、この制御部Ｓ３は所定のプログラムにより、下記のようなビジネスモデルに沿って、図１に示す下記のような各部（Ｓ５、Ｓ６、Ｓ７）の機能作用を実現・実行する処理手段である。
【００１３】
〔２．作用〕
すなわち、雑誌Ｍに代表される紙媒体に、各種記事に加え、所定電子メールアドレスと、商品ごとの商品コード（数字列や、アルファベットや記号を含めるなど自由に構成できる）を掲載して出版し、無償又は有償で配布する。そして、雑誌Ｍに掲載の商品について情報閲覧や注文を行いたいユーザ（需要者）は、自らのモバイル端末Ｔから、本文又は題名に所望の商品コードを一又は二以上記載した電子メール（以下「ＵＲＬ要求メール」と呼ぶ）を前記所定電子メールアドレス（以下「要求先アドレス」と呼ぶ）宛に送信する（ステップ１）。
【００１４】
前記要求先アドレスをモバイル端末Ｔへ入力するには、モバイル端末Ｔの機種や機能、ユーザの好みや習慣などに応じ、キー入力でもよいし、二次元バーコードの読取によってもよい。また、メールのどこへ商品コードを入力するかは、サーバの仕様に応じて本文でも題名（件名）でもよいが、題名は空白とし、本文に入力することとし、商品コードは間にスペース又は改行を入れて複数入力可能とするなどが考えられる。
【００１５】
前記所定電子メールアドレスを処理するサーバシステムがサーバＳであり、サーバＳがＵＲＬ要求メールに対し、その商品へのアクセス用ＵＲＬを返信する（ステップ２）。すなわち、サーバＳの受信部Ｓ５（受信手段）は、インターネットＮから通信部Ｓ１に着信する前記所定電子メールアドレス宛てのＵＲＬ要求メールを受信するとともにそのＵＲＬ要求メールから所定の商品コードを取り出す（受信処理）。
【００１６】
そして、返信部Ｓ６（返信手段）は、取り出した前記商品コードに対応する所定ウェブページ（以下「個別商品ページ」と呼ぶ）のアクセス用ＵＲＬを前記電子メールの送信元へ通信部Ｓ１からインターネットＮ経由で返信する（返信手段）。商品コードに対応するアクセス用ＵＲＬは、予め定めておいて例えば記憶部Ｓ２に記録しておいた対照データから得てもよいし、その都度生成して返信してもよい。
【００１７】
ＵＲＬ要求メールを送ったユーザは、返信された電子メール中にあるアクセス用ＵＲＬの個別商品ページに、モバイル端末Ｔのブラウザ機能により選択や接続の操作を行ってアクセスする。すると、その個別商品ページ及びそれに関連する一連のウェブページ（ウェブサイト）においてその商品について情報提供（ステップ３）及び注文受付（ステップ４）を行うことができる。
【００１８】
このとき、サーバＳの受付部Ｓ７（受付手段）が、前記アクセス用ＵＲＬによる個別商品ページへのインターネットＮ経由のアクセスに対して、該当する商品に関する情報提供（ステップ３）及び注文受付（ステップ４）を行う（受付処理）。情報提供する商品データＤ１は、予め用意し記憶部Ｓ２に記録しておく。
【００１９】
個別商品ページでは、商品の品名・仕様・写真・価格などの情報提供を行ってユーザに確認させたり、数量・支払方法の入力や確認、氏名・連絡先・届け先など個人情報の入力や確認、会員登録、納期や合計額の確認、注文の確認や確定など、必要な処理を行う。この際、会員登録やアンケートなどにより生年月日、性別、職業、趣味等の属性を得て、その後のプロモーションなどに活用することが考えられる。会員登録で得たデータは会員データＤ２、注文受付で得たデータは注文データＤ３として記憶部Ｓ２に記録し、その後の商品発送やプロモーションの対象とする。
【００２０】
〔３．効果〕
以上のように、本実施形態では、雑誌等に掲載する商品コードを、ユーザの携帯端末から電子メールで所定アドレスへ送信させ、その商品コードに対応してサーバから返信するＵＲＬのウェブページでその商品の情報提供や注文受付を行う。これにより、カメラや二次元バーコード読取機能の有無にかかわらず、より多くの端末からウェブ上で個別商品の情報閲覧や注文が可能になるとともに、各メディアの特性を維持しながら効果的なプロモーションが可能となる。
【００２１】
より具体的には、本実施形態によれば、二次元バーコードは必ずしも必須ではないので、ユーザの端末にカメラやその画像からの二次元バーコード読取機能が無くても足り、アクセス可能な端末が限定されない。また、直接アクセス用のＵＲＬ自体は雑誌等の紙媒体で公表しないので、その後のアクセス増加など事情変更に応じ、サーバのアドレスやディレクトリ構成などを自由に変更可能となる。この場合、変更後のＵＲＬをサーバから返信すればよい。
【００２２】
また、記事として紹介している商品ごとに、直接アクセス用のＵＲＬや二次元バーコードを掲載する必要がなくなるので、それらの面積が紙面構成に与える影響が最小限となり、情報誌として通販カタログと峻別可能となり、メディアの性質、役割、中立性が維持できる。
【００２３】
さらに、不特定多数からのウェブ閲覧で商品情報を提供するだけではなく、事業者側から顧客に向けてのお得な情報の提供や、顧客属性の把握、それに応じた効果的プロモーションといった能動的働きかけが可能となり、通信ネットワークの双方向性を生かしたより効果的なプロモーションの新たなスキーム（枠組）が提供可能となる。
【００２４】
〔４．他の実施形態〕
なお、本発明は、上記実施形態に限定されるものではなく、以下に例示するもの及びそれ以外を含む他の実施形態も含むものである。例えば、上記実施形態では雑誌とモバイル端末を用いる例を示したが、雑誌以外の紙媒体（例えばチラシや鉄道の中吊り広告など）や、パーソナルコンピュータなどのクライアントシステムにも本発明は応用可能である。
【図面の簡単な説明】
【００２５】
【図１】本発明の実施形態の構成図（兼フローチャート）。
【符号の説明】
【００２６】
Ｍ…雑誌
Ｔ…モバイル端末
Ｎ…インターネット
Ｓ…サーバ
Ｓ１…通信部
Ｓ２…記憶部
Ｓ３…制御部
Ｓ５…受信部
Ｓ６…返信部
Ｓ７…受付部
Ｄ１…商品データ
Ｄ２…会員データ
Ｄ３…注文データ
【図１】
2007026228.tif 000003